(57)【要約】【課題】洗剤タンクに洗剤を補給する作業を容易に行うことができる便器装置を提供する。【解決手段】便器ボウル部２内に供給される洗剤を貯留するための便器の側端部に設けられる洗剤タンク１１と、該洗剤タンク１１から上側に向けて突出した洗剤投入口５０を閉塞するキャップ部材５６とを備える。キャップ部材５６は、洗剤投入口５０の上端部に着脱自在に被嵌されて洗剤投入口５０の開口を閉塞する蓋６０と、洗剤投入口５０に外嵌されて保持される環状保持体５７と、蓋６０と環状保持体５７とを接続する可撓性を有した接続片６２とを有する。環状保持体５７に、洗剤投入口５０の外面に係合することで接続片６２が洗剤投入口５０の後側に位置するよう環状保持体５７の洗剤投入口５０に対する移動を規制する係合部６９が設けられている。【選択図】図１
2011117224.tif 000002
【特許請求の範囲】
【請求項１】
便器ボウル部内に供給される洗剤を貯留する、便器の側端部に設けられた洗剤タンクと、該洗剤タンクの上側に向けて突出した洗剤投入口を閉塞するためのキャップ部材とを備え、キャップ部材は、洗剤投入口の上端部に着脱自在に被嵌されて洗剤投入口の開口を閉塞する蓋と、洗剤投入口に外嵌されて保持される環状保持体と、蓋と環状保持体とを一体に接続する可撓性を有した接続片とを有し、環状保持体に、洗剤投入口の外面に係合することで接続片が洗剤投入口の後側に位置するよう環状保持体の洗剤投入口に対する移動を規制する係合部が設けられたことを特徴とする便器装置。
【請求項２】
前記係合部が環状保持体の便器装置前側の端部と便器装置後側の端部に形成されると共に両係合部が環状保持体の内側に向けて突出する凸部で構成され、洗剤投入口の外面に前記各係合部と凹凸嵌合により係合する凹部からなる被係合部が形成されたことを特徴とする請求項１に記載の便器装置。
【請求項３】
前記洗剤投入口の内面に、洗剤タンク内に挿入されたストレーナーを載置するための載置用凸部が形成され、洗剤投入口の前記載置用凸部に対応する外面に、前記係合部が係合する凹部からなる被係合部が形成され、これら載置用凸部及び被係合部が形成された洗剤タンクが樹脂ブロー成形品からなることを特徴とする請求項１又は請求項２に記載の便器装置。
【発明の詳細な説明】
【技術分野】
【０００１】
本発明は洗剤タンク内の洗剤を便器ボウル部内に供給して洗浄する便器装置に関する。
【背景技術】
【０００２】
従来から洗剤タンクに貯留した洗剤を便器ボウル部内に供給して洗浄する便器装置が特許文献１により知られている。この便器装置は、便器の側端部に設けられた洗剤タンクに洗剤補給用の洗剤投入口が設けられている。
【先行技術文献】
【特許文献】
【０００３】
【特許文献１】特開２００９−１０８５０９号公報
【発明の概要】
【発明が解決しようとする課題】
【０００４】
ところで、前記洗剤投入口が例えば着脱自在の蓋で被嵌されるものであると、洗剤補給の際に洗剤投入口から取り外した蓋が落下してトイレ室の手の届き難い所に転がったり、蓋を紛失したりする恐れがある。そしてこのように蓋を紛失等すると、洗剤投入口に蓋を取り付けずに洗剤投入口が開口したままの状態で便器装置が使用されることがあり、この場合は洗剤タンク内の洗剤がすぐに揮発してしまったり、洗剤が固化して便器ボウル部の洗浄に不具合を生じさせたりすることが懸念される。
【０００５】
また洗剤を補給する際に蓋を落下しないよう保持したまま、あるいは取り外した蓋を別位置に置くことも考えられる。しかし、前者にあっては蓋を保持したまま洗剤をこぼさないように補給することが容易ではなく、特にトイレ室が狭い場合には洗剤タンクのすぐ横にトイレ室の壁が存在して作業スペースが狭いため難しい作業になる。また後者にあっては洗剤補給作業が煩雑になる。
【０００６】
本発明は上記事情に鑑みてなされたものであって、洗剤補給時に洗剤投入口から蓋を取り外したときに、取り外した蓋が床に落下したり、紛失等したりすることを防止でき、且つ、洗剤補給作業が容易に行うことができる便器装置を提供することを課題とする。
【課題を解決するための手段】
【０００７】
上記課題を解決するために本発明の便器装置は以下の構成を有する。便器ボウル部２内に供給される洗剤を貯留する、便器の側端部に設けられた洗剤タンク１１と、該洗剤タンク１１の上側に向けて突出した洗剤投入口５０を閉塞するキャップ部材５６とを備える。キャップ部材５６は、洗剤投入口５０の上端部に着脱自在に被嵌されて洗剤投入口５０の開口を閉塞する蓋６０と、洗剤投入口５０に外嵌されて保持される環状保持体５７と、蓋６０と環状保持体５７とを一体に接続する可撓性を有した接続片６２とを有する。環状保持体５７に、洗剤投入口５０の外面に係合することで接続片６２が洗剤投入口５０の後側に位置するよう環状保持体５７の洗剤投入口５０に対する移動を規制する係合部６９が設けられている。
【０００８】
このようにキャップ部材５６が蓋６０と環状保持体５７とを可撓性を有する接続片６２で接続したものであると、洗剤補給時に蓋６０を取り外したときに、取り外した蓋６０が床に落下したり、紛失等したりすることを防止できる。また、蓋６０を洗剤投入口５０から外した状態でも、洗剤投入口５０に環状保持体５７を取り付けておくことができるため、洗剤タンク１１に洗剤を補給する際、蓋６０を落下しないよう手で持つ必要がなく、洗剤補給作業が容易になる。また環状保持体５７の係合部６９を洗剤投入口５０の外面に係合して環状保持体５７が固定されると、接続片６２が洗剤投入口５０の後側に位置する。このため蓋６０を環状保持体５７の後側に移動することが可能となり、これにより洗剤タンク１１のすぐ横にトイレ室の壁面が存在する場合等にも便器装置１前側から蓋６０を容易に外すことができる。また洗剤投入口５０から蓋６０が外された状態でも、環状保持体５７が洗剤投入口５０に対して回動することが防止されるので、蓋６０を元の向きにして洗剤投入口５０に容易に取り付けることができる。
【０００９】
また、前記係合部６９が環状保持体５７の便器装置１前側の端部と便器装置１後側の端部に形成されると共に両係合部６９が環状保持体５７の内側に向けて突出する凸部で構成され、洗剤投入口５０の外面に前記各係合部６９と凹凸嵌合により係合する凹部からなる被係合部５８が形成されることが好ましい。
【００１０】
このようにすると、蓋６０を前側から外す際には、接続片６２を介して接続された環状保持体５７に後向きの荷重が加わって、環状保持体５７の前側に位置する凸部からなる係合部６９が対応する凹部からなる被係合部５８の奥側に押し込まれて係合が外れ難くなる。逆に洗剤投入口５０の後側に位置する蓋６０を洗剤投入口５０に取り付ける際には、環状保持体５７に前向きの荷重が加わって、環状保持体５７の後側に位置する凸部からなる係合部６９が対応する凹部からなる被係合部５８の奥側に押し込まれて係合が外れ難くなる。従って洗剤投入口５０から蓋６０を外す際や、蓋６０を洗剤投入口５０に取り付ける際において、係合部６９と被係合部５８との凹凸嵌合が外れ難くなり、環状保持体５７の洗剤投入口５０に対する移動規制を確実に行うことができる。
【００１１】
また、好ましい実施形態では以下の構成を有する。前記洗剤投入口５０の内面に、洗剤タンク１１内に挿入されたストレーナー５２を載置するための載置用凸部５３が形成され、洗剤投入口５０の前記載置用凸部５３に対応する外面に、前記係合部６９が係合する凹部からなる被係合部５８が形成される。これら載置用凸部５３及び被係合部５８が形成された洗剤タンク１１が樹脂ブロー成形品からなる。
【００１２】
このように洗剤投入口５０の載置用凸部５３に対応する外面に凹部からなる被係合部５８を形成することにより、洗剤タンク１１をブロー成形する際に、ブロー成形用金型により凹部からなる被係合部５８を形成すると共にこの被係合部５８に対応する載置用凸部５３を一緒に形成することができ、被係合部５８と載置用凸部５３を有する洗剤タンク１１を容易に製造することが可能になる。
【発明の効果】
【００１３】
本発明にあっては、洗剤補給時に蓋を取り外したときに、取り外した蓋が床に落下したり、紛失等したり、また、洗剤投入口に対して回動したりすることを防止でき、且つ、洗剤補給作業が容易に行うことができる。
【図面の簡単な説明】
【００１４】
【図１】本発明の実施形態の一例を示し、図８のＡ−Ａ断面図である。
【図２】同上の便器装置のタンクカバーを開いた状態を示す斜視図である。
【図３】同上の便器装置の説明図である。
【図４】同上の便器装置の分解斜視図である。
【図５】同上の便器装置のタンクカバーを取り外した状態を示す要部斜視図である。
【図６】同上の便器装置のタンクカバーを取り外した状態を示す要部断面図である。
【図７】同上のトラップケースにタンクホルダーを取り付けた状態を示す斜視図である。
【図８】同上の洗剤タンクをタンクホルダーに取付けた状態を示す正面図である。
【図９】同上の洗剤タンクにキャップ部材を取り付ける前の状態を示す斜視図である。
【図１０】同上のキャップ部材の平面図である。
【図１１】同上の洗剤投入口に洗剤容器から洗剤を補給する様子を示した断面図である。
【発明を実施するための形態】
【００１５】
以下、本発明を添付図面に基づいて説明する。本発明の実施形態の便器装置１を図１乃至図１０に示す。なお本発明で用いられる方向は用を足す際に便座３３に着座した人から見た方向を基準とし、着座者の正面側を前、背面側を後と定義する。
【００１６】
本実施形態の便器装置１は、便器ボウル部２を備えた便器形状を有する合成樹脂製の便器体３と、便器体３に内装されて便器体３を支持・補強する金属製の支持フレーム５を備え、便器体３と支持フレーム５で便器が構成されている。
【００１７】
図４のように支持フレーム５は、床に設置される下フレーム材６と、下フレーム材６の後部に立設された後フレーム材７を備えている。
【００１８】
後フレーム材７には、便器体３に内装される内装機器として、局部洗浄装置、脱臭装置、制御回路等を一群にまとめて機器ケース８内に設けてなる内装ユニット９が取り付けられている。機器ケース８には同じく内装機器としての洗浄液吐出装置１０が取り付けられている。
【００１９】
洗浄液吐出装置１０は便器ボウル部２内に水と水に洗剤を混合してなる洗浄液のうちのいずれか一方を選択的に吐出して便器ボウル部２の内面を洗浄するものであって、洗剤は便器の側端部に内装された洗剤タンク１１に貯留されたものが利用される。
【００２０】
洗浄液吐出装置１０は、図３に示されるように便器ボウル部２内に水を供給する給水路１２と、給水路１２に接続された洗剤供給路１３を備えている。給水路１２には水道管が接続されて水道水が供給される。給水路１２には電磁弁からなる給水制御弁１５が設けられ、便器体３に設けられた操作部１６（図２参照）を操作して給水制御弁１５を開閉することにより、便器ボウル部２への給水の有無が切り替えられる。
【００２１】
給水路１２の給水制御弁１５よりも下流側には混合装置１７が設けられている。混合装置１７には一端側を大気に開放した空気供給路１８の他端が接続されている。混合装置１７には供給された水に含まれる気泡に圧力を加えて微細化する図示しない気泡微細化手段が設けられている。
【００２２】
洗剤供給路１３は、洗剤タンク１１内に貯留された洗剤が循環する循環路１９と、循環路１９と混合装置１７を接続する接続路２０とで構成されている。循環路１９の途中にはポンプ２１が設けられている。ポンプ２１を運転すると、洗剤タンク１１内の洗剤が循環路１９を循環する。接続路２０には逆止弁又は電磁弁で構成される弁２２が設けられ、この弁２２により、ポンプ２１の運転時には循環路１９から接続路２０を介して給水路１２に洗剤が供給され、またポンプ２１の停止時には循環路１９から給水路１２に洗剤が供給されないように設定されている。
【００２３】
洗浄液吐出装置１０を用いて便器ボウル部２に水を供給するには、ポンプ２１を停止した状態で操作部１６を操作して給水制御弁１５を開く。このようにすると水道管からの水が給水路１２を経て便器ボウル部２内へ吐出される。この時、混合装置１７内に上流側から水が流れこむことによるエジェクター効果により、外部空気が空気供給路１８を介して混合装置１７内を流れる水に混入され、この空気は混合装置１７の気泡微細化手段により微細化された後、便器ボウル部２に水と共に吐出される。
【００２４】
洗浄液吐出装置１０を用いて便器ボウル部２に洗剤を混合した水からなる洗浄液を供給するには、操作部１６を操作してポンプ２１を運転すると共に給水制御弁１５を開く。この場合も水道管から給水路１２に流れこんだ水には空気供給路１８を介して空気が混入される。このとき混合装置１７を流れる水にはエジェクター効果により循環路１９を循環する洗剤の一部が接続路２０を介して混入される。従ってこの場合は水に洗剤を混合してなり且つ微細化された気泡を含む洗浄液が便器ボウル部２に吐出される。
【００２５】
このように便器ボウル部２に吐出される水又は洗浄液が微細気泡を含むものであると、便器ボウル部２の内面に微細気泡が衝突して高周波振動を引き起こし、便器ボウル部２の内面が綺麗に洗浄される。また、便器ボウル部２に吐出される水に洗剤が含まれる場合には、洗剤の洗浄効果により便器ボウル部２の内面が一層綺麗に洗浄される。
【００２６】
便器体３の後部には便器ボウル部２内の溜め水を排水するターントラップ装置２３が内装されている。ターントラップ装置２３は、下フレーム材６の後部に取り付けられたトラップケース２５（図７参照）と、トラップケース２５内に設けられたフレキシブルなトラップ筒２６を備えている。
【００２７】
トラップ筒２６の一端は便器ボウル部２の排水口に接続され、他端は自由端となっている。トラップ筒２６は操作部１６を操作して図示しないモータを駆動することで屈曲し、自由端側の開口を上向きとしたトラップ構造をなす状態（図３）と、自由端側の開口を下向きとし、前記トラップ構造を解除して排水がなされる状態とに切り替えられる。トラップケース２５は床等に設けられた外部排水路に連通し、トラップ筒２６のトラップ構造を解除することで、便器ボウル部２内の溜め水がトラップ筒２６とトラップケース２５を介して外部排水路に排出される。
【００２８】
図２のように便器体３は前部を構成する前パーツ２７と後部を構成する後パーツ２８とで構成されている。図４のように前パーツ２７は、平面視で後方に開口した略Ｕ字状のスカート部２９と、スカート部２９内に配置される便器ボウル部２と、便器ボウル部２上に位置するリム部３０とで構成され、これら便器ボウル部２、リム部３０、及びスカート部２９は溶着又は接着により一体化されている。
【００２９】
後パーツ２８は、上カバー３１、後カバー３２、両側の上下に配置されるサイドカバー３５、３６、及びタンクカバー３７で構成されている。タンクカバー３７は両側の下のサイドカバー３６のうち、洗剤タンク１１が設けられた右側のサイドカバー３６（以下、特に区別する場合はサイドカバー３６ａと記載する）に取り付けられ、上カバー３１、後カバー３２、及び各サイドカバー３５、３６は便器に対して着脱自在になっている。
【００３０】
上カバー３１は機器ケース８にビスで着脱自在に取り付けられ、上カバー３１には便座３３や便蓋３４が回動自在に取り付けられている。後カバー３２は上カバー３１に着脱自在に係合されると共に下フレーム材６にビスで着脱自在に取り付けられている。両側の上のサイドカバー３５は後カバー３２と前パーツ２７に着脱自在に係合されている。両側の下のサイドカバー３６は、後カバー３２及び下フレーム材６に磁石で着脱自在に取り付けられると共に上のサイドカバー３５に着脱自在に係合されている。
【００３１】
図３のように循環路１９において、洗剤タンク１１から下流側に向かってポンプ２１にまで至る部分を往路部３８とすると共にポンプ２１から上流側に向かって洗剤タンク１１にまで至る部分を復路部３９とする。往路部３８の上流側端部及び復路部３９の下流側端部の夫々は図７に示される筒状の連結部４０、４１で構成されている。各連結部４０、４１はトラップケース２５の右側面に取り付けられる接続具４２に前後に並べて設けられている。
【００３２】
トラップケース２５の右側面にはタンクホルダー４３がビスで取り付けられ、タンクホルダー４３には、図８のように樹脂ブロー成形品からなる洗剤タンク１１が着脱自在に取り付けられている。
【００３３】
洗剤タンク１１は平面視で略Ｌ字状に形成され、図５のように便器内に配置される内装部分４５と、内装部分４５の前部から便器の右外側方に向けて突出する突出部４６とで構成されている。
【００３４】
内装部分４５の上面部の前部には、管４７（図６参照）を介して洗剤タンク１１内に連通する洗剤出口部４８及び洗剤入口部４９が設けられている。洗剤出口部４８及び洗剤入口部４９は便器内側方（左方）に向けて突出する接続継手からなる。これら洗剤出口部４８及び洗剤入口部４９は、対応する連結部４０、４１に便器外側方から抜き差し自在に挿入されている。これにより洗剤タンク１１が循環路１９に連結され、洗剤タンク１１内の洗剤を洗剤出口部４８及び連結部４０を介して循環路１９に供給することが可能となり、また循環路１９の洗剤を連結部４１及び洗剤入口部４９を介して洗剤タンク１１内に戻すことが可能となる。なお、サイドカバー３６ａを取り外し、タンクホルダー４３から洗剤タンク１１を取り外すことで、洗剤タンク１１のメンテナンスや交換が行えるようになっている。
【００３５】
突出部４６の上面部には洗剤補給用の円筒状の洗剤投入口５０が上側に向けて一体に突設されている。洗剤投入口５０の軸線ａ（図１１参照）は上方に行くにつれて右斜め前方に位置するよう傾斜し、また洗剤投入口５０の上側端面５１は軸線ａに対して垂直な面よりも前下がりの傾斜面となっている。これによって洗剤投入口５０に前側から洗剤を容易に補給することができる。
【００３６】
図１のように洗剤投入口５０の下部の前後の内面には、洗剤投入口５０から洗剤タンク１１内に出し入れ自在に挿入されたストレーナー５２を載置するための載置用凸部５３が突設されている。これら載置用凸部５３は洗剤投入口５０の軸方向において同位置に形成されている。ストレーナー５２は洗剤投入口５０から投入された洗剤をろ過するものであり、上端部に外方に突出した鍔状の載置部５５が周設されている。ストレーナー５２は載置部５５を前後の載置用凸部５３上に載置することで保持される。
【００３７】
洗剤投入口５０の載置用凸部５３に対応する前後の外面には凹部からなる被係合部５８が形成され、各被係合部５８は洗剤投入口５０の軸方向において対応する載置用凸部５３の上下両端間に位置している。なお各被係合部５８は後述するキャップ部材５６の環状保持体５７を係合する部分である。
【００３８】
このように洗剤投入口５０の載置用凸部５３に対応する外面に凹部からなる被係合部５８を形成することにより、洗剤タンク１１をブロー成形する際に、洗剤タンク１１の外面を形成する図示しないブロー成形用金型の突出部分により凹部からなる被係合部５８を形成すると共に同突出部分にて洗剤タンク１１の内面の載置用凸部５３を同時に形成することができる。このため被係合部５８と載置用凸部５３を有する洗剤タンク１１を容易に製造することが可能になる。
【００３９】
洗剤投入口５０の上端部の前後の外面には、キャップ部材５６の蓋６０を係合するためのタンク側突条５９が形成され、両タンク側突条５９は洗剤投入口５０の上側端面５１と平行な同一仮想面上に位置している。
【００４０】
洗剤投入口５０の上開口は洗剤投入口５０に取り付けられたキャップ部材５６により閉塞されている。
【００４１】
図１０に示されるキャップ部材５６は、洗剤投入口５０の上端部に着脱自在に被嵌されて洗剤投入口５０の開口を閉塞する蓋６０と、洗剤投入口５０に外嵌されて保持される環状保持体５７と、蓋６０と環状保持体５７とを一体に接続する可撓性を有した接続片６２とで構成されている。
【００４２】
図１のように蓋６０は下側に開口するキャップ状に形成され、洗剤投入口５０の傾斜した上側端面５１に沿う上面部６３と、上面部６３の周縁部から垂下した周壁部６５とで構成されている。周壁部６５の下端部内面にはキャップ側突条６６が形成され、蓋６０が洗剤投入口５０に被嵌されたとき、キャップ側突条６６が前後のタンク側突条５９の下に係合して蓋６０を上方へ抜け難くする。なお、キャップ側突条６６は周壁部６５の周方向に亘って形成されるものであってもよいし、周壁部６５の前後にのみ形成されるものであってもよい。
【００４３】
蓋６０の前端部には前側に向けて指掛部６７が突設されている。指掛部６７は上面部６３と周壁部６５とでなすコーナー部分から前側に突出し、その上面は上面部６３の上面に連続している。
【００４４】
環状保持体５７は洗剤投入口５０と同心で且つ厚み方向が洗剤投入口５０の軸方向と平行な円環板状に形成され、その内側には洗剤投入口５０が挿通される孔６８（図１０参照）が形成されている。環状保持体５７の前端部及び後端部、すなわち孔６８を挟んで前後に対向する箇所には、係合部６９が形成されている。両係合部６９は環状保持体５７から内側に向けて突出した凸部からなる。
【００４５】
環状保持体５７は、孔６８に挿通された洗剤投入口５０の前後の被係合部５８に対応する係合部６９を凹凸嵌合により係合することで、洗剤投入口５０の軸方向及び軸回り方向の移動が規制され、これによって正規の位置及び向きで洗剤投入口５０に保持されている。
【００４６】
接続片６２は、環状保持体５７の前記所定位置に取り付けたときに後端に位置する部分から環状保持体５７の径方向外側に向かって延設されて帯板状に形成され、その長手方向における環状保持体５７と反対側の端が蓋６０の周壁部６５の後端部に接続されている。これにより環状保持体５７が前記所定位置で洗剤投入口５０に取り付けられたときには、接続片６２が洗剤投入口５０の後側に位置するようになっている。接続片６２は厚み方向に屈曲しやすい帯板状に形成されている。このため環状保持体５７を前記所定位置に取り付けたときには、接続片６２を厚み方向に屈曲させて蓋６０を前後方向に容易に移動することができる。
【００４７】
図５のように便器の外側面部の一部を構成するサイドカバー３６ａには突出用孔７０が形成されている。サイドカバー３６ａは突出用孔７０に洗剤タンク１１の突出部４６を挿通させた状態で後カバー３２や下フレーム材６に取り付けられている。すなわち洗剤タンク１１の突出部４６は突出用孔７０を介して便器外側方に突出し、洗剤投入口５０及びキャップ部材５６はサイドカバー３６ａよりも便器外側に配置されている。
【００４８】
突出用孔７０の下縁部にはタンクカバー３７の下端部が左右方向に回動自在に連結されている。タンクカバー３７の上端部には引掛部７１が形成されている。引掛部７１は突出用孔７０の上縁部に着脱自在に係止され、このタンクカバー３７によって洗剤タンク１１が覆われている。
【００４９】
洗剤タンク１１に洗剤を補給するには、まずタンクカバー３７の引掛部７１と突出用孔７０の上縁部との係止を解除し、この後、タンクカバー３７をその下端部を中心にして外側に向けて回動して図２のようにキャップ部材５６を便器外部に露出させる。
【００５０】
次に環状保持体５７を洗剤投入口５０に取り付けたまま、蓋６０前側の指掛部６７を手指で持ち上げて、洗剤投入口５０から蓋６０を外し、洗剤投入口５０を開口させる。そして図１１のように開口した洗剤投入口５０に洗剤容器５４の出口部７２をあてがいながら洗剤タンク１１に洗剤を補給する。洗剤補給後は、環状保持体５７を洗剤投入口５０に取り付けたまま蓋６０を洗剤投入口５０に取り付け、この後、タンクカバー３７を回動して前記引掛部７１を突出用孔７０の上縁部に係止する。
【００５１】
ここで、キャップ部材５６は蓋６０が接続片６２を介して洗剤投入口５０に取り付けられる環状保持体５７に接続されているので、洗剤補給時に蓋６０を取り外したときに、取り外した蓋６０が床に落下したり、紛失等したりすることを防止できる。また、蓋６０を洗剤投入口５０から外した状態でも、洗剤投入口５０に環状保持体５７を取り付けておくことができる。従って洗剤タンク１１に洗剤を補給する際、蓋６０を落下しないよう手で持つ必要がなく、洗剤補給作業が容易になる。
【００５２】
また接続片６２が洗剤投入口５０の後側に位置するので、蓋６０を前側から外すことができ、これによりトイレ室が狭く洗剤タンク１１のすぐ横にトイレ室の壁面が存在する場合等にも便器装置１前側から蓋６０を容易に外すことができる。また洗剤投入口５０から蓋６０が外された状態でも、環状保持体５７の係合部６９が洗剤投入口５０の外面に係合して、環状保持体５７が洗剤投入口５０に対して回動することが防止される。このため、蓋６０を洗剤投入口５０に対して指掛部６７が前側に配置された元の状態で且つ容易に取り付けることができる。
【００５３】
また蓋６０を前側から外す際には、接続片６２を介して接続された環状保持体５７に後向きの荷重が加わって、環状保持体５７の前側に位置する凸部からなる係合部６９が対応する凹部からなる被係合部５８の奥側に押し込まれて係合が外れ難くなる。逆に洗剤投入口５０の後側に位置する蓋６０を洗剤投入口５０に取り付ける際には、環状保持体５７に前向きの荷重が加わって、環状保持体５７の後側に位置する凸部からなる係合部６９が対応する凹部からなる被係合部５８の奥側に押し込まれて係合が外れ難くなる。従って洗剤投入口５０から蓋６０を外す際や、蓋６０を洗剤投入口５０に取り付ける際において、係合部６９と被係合部５８との凹凸嵌合が外れ難くなり、環状保持体５７を洗剤投入口５０に対してしっかりと固定して環状保持体５７の位置や向きが変わることを防止できる。
【００５４】
なお本実施形態では係合部６９を凸部で構成すると共に被係合部５８を凹部で構成したが、逆に係合部６９を凹部、被係合部５８を係合部６９に凹凸嵌合する凸部で構成してもかまわない。また係合部６９は洗剤投入口５０の外面に凹凸嵌合以外の係合により環状保持体５７の回動を規制するものであってもよい。またこの他にも本発明の主旨を逸脱しない限り適宜設計変更可能である。
【符号の説明】
【００５５】
１  便器装置
２  便器ボウル部
１１  洗剤タンク
５０  洗剤投入口
５２  ストレーナー
５３  載置用凸部
５６  キャップ部材
５７  環状保持体
５８  被係合部
６０  蓋
６２  接続片
６９  係合部
【図１】
2011117224.tif 000003
【図２】
2011117224.tif 000004
【図３】
2011117224.tif 000005
【図４】
2011117224.tif 000006
【図５】
2011117224.tif 000007
【図６】
2011117224.tif 000008
【図７】
2011117224.tif 000009
【図８】
2011117224.tif 000010
【図９】
2011117224.tif 000011
【図１０】
2011117224.tif 000012
【図１１】
2011117224.tif 000013